(57)【要約】【課題】鉄筋コンクリート壁を構築又は補修する際に工期が長期化するのを防止する。【解決手段】型枠構造２０は、四隅にスタッドボルト３１が立設する、上下左右に並置された複数の型枠パネル３０と、上下辺の左右両側に切欠き部５１Ａが形成された矩形状の取付プレート５１が両端に接続され、型枠パネル３０の角隅部に相当する部分に壁体の厚さ方向に延びるように配置された支持部材５０と、を備え、型枠パネル３０は、互いに隣接する型枠パネル３０の互いに近傍に位置する上方の角隅部に形成されたスタッドボルト３１が、取付プレート５１の下辺の左右両側の切欠き部５１Ａに夫々収容され、また、互いに隣接する型枠パネル３０の互いに近傍に位置する下方の角隅部に形成されたスタッドボルト３１が、取付プレート５１の上辺の左右両側の切欠き部５１Ａに夫々収容された状態で、取付プレート５１に固定されている。【選択図】図３
2010037818.tif 000002
【特許請求の範囲】
【請求項１】
鉄筋コンクリート造の壁体を構築するための型枠構造であって、
角隅部に前記壁体の内側へ向けて突出部が立設された矩形状の板材からなり、前記壁体の表裏面に相当する位置に前記壁体の面内方向に上下方向及び水平方向に並置された複数の型枠パネルと、
その上辺及び下辺の夫々に水平方向に離間して複数の切欠き部が形成された矩形状の取付プレートが両端に接続され、前記型枠パネルの角隅部に相当する部分に前記壁体の厚さ方向に延びるように配置された支持部材と、を備え、
前記型枠パネルは、水平方向に互いに隣接する２枚の前記型枠パネルの互いに隣接する上方の角隅部に立設された突出部が、前記取付プレートの下辺の前記切欠き部に夫々収容され、また、互いに隣接する２枚の前記型枠パネルの互いに隣接する下方の角隅部に立設された突出部が、前記取付プレートの上辺の前記切欠き部に夫々収容された状態で、前記取付プレートに固定されていることを特徴とする型枠構造。
【請求項２】
請求項１記載の型枠構造であって、
前記複数の型枠パネルのうち、一部の型枠パネルに代えて、前記壁体の外側に向かって着脱可能な開口パネルが用いられていることを特徴とする型枠構造。
【請求項３】
請求項２記載の型枠構造であって、
前記開口パネルの四隅に相当する位置には、前記支持部材に代えて、前記支持部材の開口パネル側の前記取付プレートに、前記開口パネルの角隅部に相当する位置の切欠き部に代えて突出部が形成された開口部支持部材が取り付けられており、
前記開口パネルは、四隅に夫々開口が形成され、これら四隅の開口に夫々前記開口部支持部材の突出部が挿入された状態で取り付けられていることを特徴とする型枠構造。
【請求項４】
請求項１から３のうち何れか１項に記載の型枠構造であって、
前記型枠パネルの突出部はスタッドボルトであって、
前記型枠パネルは、前記取付プレートの切欠き部に前記スタッドボルトが収容された状態で、前記スタッドボルトにナットを締め付けることにより、前記取付プレートに固定されていることを特徴とする型枠構造。
【請求項５】
鉄筋コンクリート造の壁体を構築する際に用いられる、角隅部に前記壁体の内側へ向けて突出部が立設された矩形状の板材からなり、前記壁体の表裏面に相当する位置に前記壁体の面内方向に上下方向及び水平方向に並置された複数の型枠パネルと、その上辺及び下辺の水平方向両側に切欠き部が形成された矩形状の取付プレートが両端に接続され、前記型枠パネルの角隅部に相当する部分に前記壁体の厚さ方向に延びるように配置された支持部材と、を備えてなる型枠構造の構築方法であって、
前記壁体の表裏面に相当する位置に建て込まれた水平方向に互いに隣接する２枚の前記型枠パネルの互いに隣接する上方の角隅部に立設された前記突出部が、前記支持部材の前記取付プレートの前記下辺の前記切欠き部に夫々収容されるように、前記支持部材を配置する支持部材配置工程と、
水平方向に互いに隣接する前記型枠パネルの互いに隣接する下方の角隅部に立設された突出部が、前記支持部材の前記取付プレートの上辺の前記切欠き部に夫々収容されるように前記型枠パネルを水平方向に並置する型枠パネル並置工程と、
を繰り返すことを特徴とする型枠構造の構築方法。
【請求項６】
請求項５記載の型枠構造の構築方法であって、
前記型枠パネル並置工程では、前記複数の型枠パネルのうち、一部の型枠パネルに代えて、前記壁体の外側に向かって着脱可能な開口パネルを設けることを特徴とする型枠構造の構築方法。
【請求項７】
鉄筋コンクリート造の壁体を構築する方法であって、
請求項６記載の方法により型枠構造を構築する型枠構造構築工程と、
前記型枠構造の前記開口パネルを離脱させた箇所から前記型枠構造の内部にコンクリートを打設するコンクリート打設工程と、
前記型枠パネルの表面に仕上げを施す仕上げ工程と、を備えることを特徴とする鉄筋コンクリート造壁体の構築方法。
【発明の詳細な説明】
【技術分野】
【０００１】
本発明は、鉄筋コンクリート造の壁体を構築する方法及びこの方法において用いられる型枠の構造に関する。
【背景技術】
【０００２】
原子力発電所における発電用機器の周囲には、四方を取り囲むように放射線を遮蔽するための鉄筋コンクリート造の遮蔽壁が設けられている。原子力発電所において発電用機器の交換を行う場合には、遮蔽壁が障害となるため、遮蔽壁の一部を破壊して開口を設け、この開口から発電用機器の交換を行った後、開口を塞ぐ補修工事を行わなければならない。このような発電機器の交換作業は定期検査中などに行わなければならず、補修工事の短期間化が望まれる。
【０００３】
鉄筋コンクリート造の壁に形成された開口を補修する方法としては、壁体の表裏面に相当する位置に開口を塞ぐように型枠を設置し、内部にコンクリートを打設する方法が用いられる。この際、型枠材としては、ベニヤ板や鋼板パネルが用いられる。
【０００４】
鋼板パネルを型枠として用いる場合には、予め、鋼板パネルの４辺の縁に沿ってアングル材を取り付けておき、上下左右に隣接する鋼板パネルのアングル材同士をボルトにより固定する。これにより、鋼板パネル同士を接続し、型枠構造を構築することができる。また、これと同様の鋼板パネルとしては例えば特許文献１及び２に記載された鋼板パネルを用いることができる。
【特許文献１】特開２００２−２１３０７７号公報
【特許文献２】特開平９−１３７５９２号公報
【発明の開示】
【発明が解決しようとする課題】
【０００５】
しかしながら、鋼板パネルを接続して型枠構造を構築する場合に、アングル材の圧延による歪や溶接に伴う歪のために加工精度の確保が難しく、鋼板パネル同士の間に隙間が生じてしまうと、この隙間から内部に打設されたコンクリートが漏れだしてしまい、漏れ出したコンクリートの処理が必要となり、施工期間が長期化してしまう。
また、組立てに支持部材の溶接を伴うなど、このため、鋼板パネルを用いる場合には、精度良く建て込む必要があり、手間がかかるとともに、アングル材を付加するために個々の鋼板パネルの重量が大きくなるので、技能を有する作業員が行う必要があった。
【０００６】
本発明は、上記の問題に鑑みなされたものであり、所定の技能を有する作業員でなくても設置可能であり、設置作業に手間がかからない型枠構造を提供することを目的とする。
【課題を解決するための手段】
【０００７】
本発明の型枠構造は、鉄筋コンクリート造の壁体を構築するための型枠構造であって、  角隅部に前記壁体の内側へ向けて突出部が立設された矩形状の板材からなり、前記壁体の表裏面に相当する位置に前記壁体の面内方向に上下方向及び水平方向に並置された複数の型枠パネルと、その上辺及び下辺の夫々に水平方向に離間して複数の切欠き部が形成された矩形状の取付プレートが両端に接続され、前記型枠パネルの角隅部に相当する部分に前記壁体の厚さ方向に延びるように配置された支持部材と、を備え、前記型枠パネルは、水平方向に互いに隣接する２枚の前記型枠パネルの互いに隣接する上方の角隅部に立設された突出部が、前記取付プレートの下辺の前記切欠き部に夫々収容され、また、互いに隣接する２枚の前記型枠パネルの互いに隣接する下方の角隅部に立設された突出部が、前記取付プレートの上辺の前記切欠き部に夫々収容された状態で、前記取付プレートに固定されていることを特徴とする。
なお、本発明における壁体を構築するとは、壁体に形成された開口内を塞ぐ場合を含むものである。
【０００８】
上記の型枠構造において、前記複数の型枠パネルのうち、一部の型枠パネルに代えて、前記壁体の外側に向かって着脱可能な開口パネルが用いられていてもよい。
また、前記開口パネルの四隅に相当する位置には、前記支持部材に代えて、前記支持部材の開口パネル側の前記取付プレートに、前記開口パネルの角隅部に相当する位置の切欠き部に代えて突出部が形成された開口部支持部材が取り付けられており、前記開口パネルは、四隅に夫々開口が形成され、これら四隅の開口に夫々前記開口部支持部材の突出部が挿入された状態で取り付けられていてもよい。
【０００９】
また、前記型枠パネルの突出部はスタッドボルトであって、前記型枠パネルは、前記取付プレートの切欠き部に前記スタッドボルトが収容された状態で、前記スタッドボルトにナットを締め付けることにより、前記取付プレートに固定されていてもよい。
【００１０】
また、本発明の型枠構造の構築方法は、鉄筋コンクリート造の壁体を構築する際に用いられる、角隅部に前記壁体の内側へ向けて突出部が立設された矩形状の板材からなり、前記壁体の表裏面に相当する位置に前記壁体の面内方向に上下方向及び水平方向に並置された複数の型枠パネルと、その上辺及び下辺の水平方向両側に切欠き部が形成された矩形状の取付プレートが両端に接続され、前記型枠パネルの角隅部に相当する部分に前記壁体の厚さ方向に延びるように配置された支持部材と、を備えてなる型枠構造の構築方法であって、前記壁体の表裏面に相当する位置に建て込まれた水平方向に互いに隣接する２枚の前記型枠パネルの互いに隣接する上方の角隅部に立設された前記突出部が、前記支持部材の前記取付プレートの前記下辺の前記切欠き部に夫々収容されるように、前記支持部材を配置する支持部材配置工程と、水平方向に互いに隣接する前記型枠パネルの互いに隣接する下方の角隅部に立設された突出部が、前記支持部材の前記取付プレートの上辺の前記切欠き部に夫々収容されるように前記型枠パネルを水平方向に並置する型枠パネル並置工程と、を繰り返すことを特徴とする。
【００１１】
上記の型枠構造の構築方法において、前記型枠パネル並置工程では、前記複数の型枠パネルのうち、一部の型枠パネルに代えて、前記壁体の外側に向かって着脱可能な開口パネルを設けてもよい。
【００１２】
また、本発明の鉄筋コンクリート造の壁体を構築する方法は、上記の方法により型枠構造を構築する型枠構造構築工程と、前記型枠構造の前記開口パネルを離脱させた箇所から前記型枠構造の内部にコンクリートを打設するコンクリート打設工程と、前記型枠パネルの表面に仕上げを施す仕上げ工程と、を備えることを特徴とする。
【発明の効果】
【００１３】
本発明によれば、型枠パネルに形成された突出部を、切欠き部内に収容させることにより型枠パネルを所定の位置に建て込むことができる。このため、所定の技能を有していない作業員であっても設置作業を行うことができ、また、施工にかかる手間を削減することができる。
【発明を実施するための最良の形態】
【００１４】
以下、本発明の型枠構造の一実施形態を図面を参照しながら詳細に説明する。
本実施形態の型枠構造は、図１に示すような、原子力発電所における発電機器の周囲に設けられた鉄筋コンクリート造の壁体１０に、発電機器の入れ替えを行うために形成された開口１４を補強する補強壁を構築するためのものである。同図に示すように、開口１４は、壁体１０を構成するコンクリート１１を除去するとともに、壁筋１２の端部１３を開口１４内に突出するように残した状態で、残りの部分を切除することで形成されている。
【００１５】
図２は、本実施形態の型枠構造２０を示す正面図である。図３（Ａ）は図２におけるＡ部の拡大図、（Ｂ）は鉛直断面図である。また、図４は、本実施形態の型枠構造２０に用いられる型枠パネル３０を示す斜視図であり、図５は、型枠構造２０に用いられる支持部材５０を示す斜視図である。図２及び図３に示すように、本実施形態の型枠構造２０は、壁体１０の表裏面に相当する位置に面内の上下左右に並べて配置された型枠パネル３０と、これら上下左右に隣接する型枠パネル３０の角部に相当する位置に壁体１０の厚さ方向に延びるように配置された支持部材５０とにより構成される。また、上下左右方向に並んだ型枠パネル３０において、所定の枚数ごと（図２に示す例では３枚ごと）に、型枠パネル３０に代えて、壁体１０の外側に向かって取り外し可能な開口パネル４０（図中灰色に彩色して示す）が取り付けられている。
【００１６】
図４に示すように、型枠パネル３０は、一辺の長さが鉄筋間隔の略２倍に相当する正方形状に形成された鋼板からなり、その四隅には外周に螺条が形成されたスタッドボルト３１が立設されている。また、型枠パネル３０の板厚は、後述するコンクリートの打設時の圧力により変形を生じないように決定されており、各辺の長さは、組立時の作業性を考慮して、１枚あたりの重量が２０ｋｇ程度となるように（例えば一辺４００ｍｍ程度に）決定されている。
【００１７】
図５に示すように、支持部材５０は棒状の鋼材５２と、上下の縁の左右両側に切欠き部５１Ａが形成され、鋼材５２の両端に接続された取付プレート５１とにより構成される。取付プレート５１に形成された切欠き部５１Ａの幅は、型枠パネル３０に取り付けられたスタッドボルト３１の径に比べて若干幅広く形成されている。図３に示すように、支持部材５０は、上下左右に隣接する４枚の型枠パネル３０の角隅部の互いに突き合わされた位置に、取付プレート５１の上下両辺が上下に向くように配置されている。
【００１８】
このように配置された取付プレート５１の切欠き部５１Ａに、上下左右に隣接する４枚の型枠パネル３０の突き合わされた側の角隅部に設けられたスタッドボルト３１が夫々収容され、スタッドボルト３１に座金付ナット３２が締め付けられている。これにより、上下左右に隣接する４枚の型枠パネル３０が突き合わされた箇所において、これら型枠パネル３０同士が互いに連結されることとなる。
【００１９】
図６（Ａ）は、図３（Ａ）におけるＢ部（開口パネル４０が取り付けられた部分）の拡大正面図であり、（Ｂ）は（Ａ）におけるＢ−Ｂ断面図である。また、図７は、開口パネル４０を示す斜視図であり、図８は、開口パネル４０の角隅部に相当する位置に設けられる支持部材６０を示す斜視図である。
【００２０】
図７に示すように、開口パネル４０は、正方形状の鋼板からなり、四隅に貫通孔４０Ａが設けられている。この開口パネル４０に形成された貫通孔４０Ａは、後述する支持部材６０の取付プレート６３に設けられたスタッドボルト６４の径に比べて若干大きな径に形成されている。
【００２１】
また、図８に示すように、支持部材６０Ａ，６０Ｂは棒状の鋼材５２と、鋼材５２の一端に接続された一方の取付プレート６３と、鋼材５２の他端に接続された他方の取付プレート６１とにより構成される。他方の取付プレート６１には、上記説明した支持部材５０の両端に接続された取付プレート５１と同様の位置に切欠き部６１Ａが形成されている。
【００２２】
支持部材６０Ａの、開口パネル４０の四隅に相当する部分に取り付けられるべき一方の取付プレート６３には、図中、上辺の左右両側及び下辺の左側の縁に切欠き部６３Ａが形成されており、下方右側近傍にはスタッドボルト６４が取り付けられている。また、支持部材６０Ｂの一方の取付プレート６３には、図中、上辺の左右両側及び下辺の右側の縁に切欠き部６３Ａが形成されており、下方左側近傍にはスタッドボルト６４が取り付けられている。
【００２３】
図６に示すように、開口パネル４０の四隅に相当する位置に取り付けられた支持部材６０は、一方の取付プレート６１に取り付けられたスタッドボルト６４が、開口パネル４０側の四隅に相当する位置に外部側に向かって突出するように配置されている。なお、図６（Ａ）における開口パネル４０の左上及び右下には、図８に示す支持部材６０Ａが用いられており、開口パネル４０の右上及び左下には、図８に示す支持部材６０Ｂが用いられている。そして、開口パネル４０の四隅に形成された貫通孔４０Ａに、夫々、支持部材６０の取付プレート６１のスタッドボルト６４が挿通するように、開口パネル４０を配置し、外部側からスタッドボルト６４にナット６５を締め付けることにより、開口パネル４０が固定されている。
【００２４】
以下、上記の型枠構造２０を用いて、図１に示した鉄筋コンクリート造の壁体１０に設けられた開口１４を補修する方法を、図９Ａ〜図９Ｈを参照しながら説明する。なお、図９Ａ〜図９Ｈは、鉄筋コンクリート造の壁体に設けられた開口１４の下部の縁を示す図であり、（Ａ）は正面図、（Ｂ）は壁厚方向の断面図である。
図９Ａに示すように、開口１４の補修を行うにあたり、壁体１０の開口１４の縁から鉄筋の端部１３が突出している。なお、開口１４の縁から鉄筋の端部１３が突出していない場合には、開口１４の縁にアンカーボルトを打設し、アンカーボルトに鉄筋を接続すればよい。
【００２５】
まず、図９Ｂに示すように、壁体１０の開口１４の上下の縁から突出する鉄筋の端部１３の間を結ぶように縦筋７０を接続する。そして、１段目の型枠パネル３０に相当する高さに複数の横筋７１（図９Ｂでは２本）を、その両端を開口１４の側面に突出する鉄筋（不図示）に接続し、これら鉄筋の間を結ぶように配筋する。
次に、図９Ｃに示すように、壁体１０の開口１４の下方に残存する壁体１０を両側から挟みこむように、１段目の型枠パネル３０を左右方向に隙間なく配置する。なお、１段目の型枠パネル３０は、開口１４の下方の縁の下方に断面Ｌ字型の取付部材７２を取付けておき、この取付部材７２上に配置する。そして、１段目の型枠パネル３０の下方のスタッドボルト３１が、取付プレート５１の切欠き部５１Ａ内に収容されるように、支持部材５０を上方から配置する。そして、型枠パネル３０のスタッドボルト３１にナット３２を締め付け、型枠パネル３０を固定する。なお、１段目の型枠パネル３０の下方のスタッドボルト３１に取り付けられる支持部材は、図５に示す支持部材において、取付プレート５１の上半分が省略されたものを用いるとよい。
【００２６】
次に、図９Ｄに示すように、左右に隣接する１段目の型枠パネル３０の上方のスタッドボルト３１が、取付プレート５１の下方の切欠き部５１Ａ内に収容されるように、支持部材５０を上方から配置する。この際、取付プレート５１の下方の切欠き部５１Ａは、その幅がスタッドボルト３１の径に比べて広くなるように形成されているため、取付プレート５１や型枠パネル３０に施工誤差があっても、この施工誤差を吸収し、隣接する型枠パネル３０同士を隙間なく取り付けることができる。そして、型枠パネル３０のスタッドボルト３１にナット３２を締め付け、型枠パネル３０を固定する。
【００２７】
次に、図９Ｅに示すように、２段目の型枠パネル３０に相当する高さに複数の横筋７１（図９Ｅでは２本）を、その両端を開口１４の側面に突出する鉄筋（不図示）に接続し、これら鉄筋の間を結ぶように配筋する。
【００２８】
次に、図９Ｆに示すように、裏面側の２段目の型枠パネル３０を上方から、下方の両角隅部に取り付けられたスタッドボルト３１が１段目の型枠パネル３０の上部に固定された支持部材５０の取付プレート５１の上方の切欠き部５１Ａ内に夫々収容されるように配置する。この際、取付プレート５１や型枠パネル３０に施工誤差があっても、上記図９Ｄを参照して説明した工程と同様に、施工誤差を吸収し、隣接する型枠パネル３０同士を隙間なく取り付けることができる。そして、スタッドボルト３１にナット３２を締め付け、新たに配置した型枠パネル３０と取付プレート５１とを固定する。
【００２９】
次に、図９Ｇに示すように、表面側の２段目の型枠パネル３０を上方から、下方の角隅部に取り付けられたスタッドボルト３１が１段目の型枠パネル３０に固定された支持部材５０の取付プレート５１の上方の切欠き部５１Ａ内に収容されるように左右方向に隙間なく配置する。そして、スタッドボルト３１にナット３２を締め付け、新たに配置した型枠パネル３０と取付プレート５１とを固定する。
【００３０】
次に、図９Ｈに示すように、左右に隣接する２段目の型枠パネル３０の上方のスタッドボルト３１が、取付プレート５１の下方の切欠き部５１Ａ内に収容されるように、支持部材５０を上方から配置する。そして、スタッドボルト３１にナット３２を締め付け、型枠パネル３０を取付プレート５１に固定する。
このように図９Ｅ〜図９Ｈを参照して説明した工程を繰り返すことにより、開口１４の上端高さまで型枠パネル３０を接続し、型枠構造２０を構築することができる。
【００３１】
なお、上記のように、上下左右方向に並んだ型枠パネル３０において、所定の枚数ごとに開口パネル４０を取り付ける必要がある。かかる開口パネル４０に相当する位置についての施工を行う場合には、以下のようにすればよい。
【００３２】
まず、図９Ｅを参照して説明した支持部材５０を配置する工程において、開口パネル４０の取り付けられるべき位置の下方両側には、支持部材５０に代えて図８を参照して説明した支持部材６０を用い、スタッドボルト６４が開口パネル４０が嵌め込まれる側に位置するように支持部材６０を配置する。
【００３３】
次に、図９Ｇを参照して説明した工程では、開口パネル４０の取り付けられるべき位置には、開口パネル４０は取り付けずに、その両側に位置する型枠パネル３０を取り付けておく。
【００３４】
次に、図９Ｈを参照して説明した工程では、開口パネル４０の取り付けられるべき位置の上方両側の支持部材５０に代えて支持部材６０を用い、スタッドボルト６４が開口パネル４０の四隅に位置するように支持部材６０を配置し、型枠パネル３０のスタッドボルト３１にナット３２を締め付けることにより、支持部材６０と型枠パネル３０とを固定する。
【００３５】
そして、上記配置された支持部材６０のスタッドボルト６４が、夫々貫通孔４０Ａを挿通するように外部側から開口パネル４０を配置し、スタッドボルト６４にナット６５を締め付ける。この際、開口パネル４０の貫通孔４０Ａは、スタッドボルト６４の径に比べて若干大きな径であるため、仮階口パネル４０を適宜移動して周囲の型枠パネル３０に対して隙間なく配置することができる。
以上説明した工程により型枠構造２０を構築することができる。
【００３６】
次に、上記型枠構造２０内にコンクリートを打設する方法を説明する。コンクリートの打設作業は、開口パネル４０を取り外し、この開口パネル４０を取り外した箇所から行う。図１０は、型枠構造２０内にコンクリートを打設する様子を示す鉛直断面図である。同図に示すように、コンクリートを打設する際には、まず、最も低い位置に設けられた開口パネル４０を取り外し、この箇所に上方から流し込まれたコンクリート８１を型枠構造２０の内部に流し込むように形成されたじょうご部材４１を取り付ける。そして、このじょうご部材４１を用いて型枠構造２０内にコンクリート８１を流し込む。この際、じょうご部材４１を取り付けた箇所の上方の開口パネル４０を取り外し、開口パネル４０を取り外した箇所から型枠構造２０の内部に振動装置８０を挿入して振動を加えるとよい。これにより、内部に流し込まれたコンクリート８１を締め固めることができる。
【００３７】
そして、型枠構造２０内に打設されたコンクリート８１の上面が、じょうご部材４１が取り付けられた箇所の下端近傍まで到達したら、じょうご部材４１を取り外し、開口パネル４０を取り付ける。
【００３８】
次に、上記のバイブレータ８０を挿入していた開口パネル４０を取り外した箇所にじょうご部材４１を取り付け、この開口パネル４０を取り外した箇所からコンクリート８１を打設する。この際、上記の場合と同様に、さらに上方の開口パネル４０が取り付けられるべき箇所から内部に振動装置８０を挿入して振動を加える。
【００３９】
上記説明した工程を上方に向かって繰り返すことにより、十分に締め固めを行いながら型枠構造２０内にコンクリートを打設していくことができる。なお、コンクリートの打設作業は壁の上下全長に亘って一括して行ってもよいし、複数回に分けておこなってもよい。
【００４０】
コンクリート８１の打設作業が完了したら、型枠パネル３０の表面に所定の仕上塗料を塗布して仕上げを行う。この際、塗料を塗布するためには下地が乾燥している必要があるが、本実施形態では、型枠パネル３０及び開口パネル４０は不透水性の鋼板で構成されており、乾燥が不要となる。
【００４１】
以上説明したように、本実施形態によれば、型枠パネル３０を、その四隅に設けられたスタッドボルト３１が支持部材５０の切欠き部５１Ａに収容するように建て込むことにより、型枠パネル３０が所定の位置に建て込まれるため、容易に型枠パネル３０の間に隙間が生じないように建て込むことができる。このため、技能を有していない作業員であっても型枠構造の設置作業を行うことができ、また、施工の手間を削減することができる。
【００４２】
また、切欠き部５１Ａの幅がスタッドボルト３１の径に比べて若干広いため、鋼板パネル３０に製造誤差があったとしても、その製造誤差を吸収することができる。これにより、型枠構造２０内に打設したコンクリートが型枠パネル３０の間から漏れだすことを確実に防止し、コンクリートの打設完了後、すぐに、型枠パネル３０の表面に塗膜を施すことができ、施工期間を短縮することができる。
【００４３】
また、従来、型枠材として用いられていたベニヤ板や、ベニヤ板を支持するために用いられていた端太角材は長尺であるため、搬入及び搬出の際に手間がかかり、また、広い資材置き場が必要であったが、本実施形態で用いている型枠パネル３０は、コンパクトであるため、搬入及び搬出を効率よく行うことができ、また、資材置き場が限られている場合であっても施工可能である。
【００４４】
また、型枠構造２０の内部側において型枠パネル３０を支持部材５０に固定することとしたため、開口パネル４０が設けられる側のみから、型枠構造２０の設置作業を行うことができる。このため、作業エリアを縮小することが可能となる。上記のような壁の補修作業は、既存の建物内で行うため、作業エリアが限られることが多いが、本実施形態によれば、このような作業エリアが限られる場合であっても、施工を行うことができる。
【００４５】
また、上記のように、支持部材５０の取付プレート５１に形成された切欠き部５１Ａ内に、スタッドボルト３１を収容した状態でナット３２をスタッドボルト３１に締め付けることにより、型枠構造２０を構築することができるため、型枠工などの技能工でなくても型枠構造２０の設置作業を行うことができる。
また、型枠構造２０内にコンクリートを打設する際に、コンクリートに振動を加えることができるため、ジャンガなどの発生を防止することができる。
【００４６】
なお、本実施形態では、正方形状の型枠パネル３０を用いる場合について説明したが、これに限らず、長方形状の型枠パネルを用いてもよい。また、図１１に示すように、正方形状の型枠パネル３０が複数枚（図では２枚）連結された型枠パネル１３０を用いてもよく、このような場合には、正方形状のパネル３０と併用することができる。このような型枠パネル１３０を用いる場合には、型枠パネル１３０の上下の辺の中央に相当する位置にも、支持部材５０を配置することとしてもよい。
【００４７】
また、本実施形態では、型枠パネル３０の角隅部に相当する位置に支持部材５０を配置することとしたが、これに限らず、型枠パネル３０の中央などにも支持部材５０を配置することとしてもよい。
【００４８】
また、本実施形態では、原子力発電所における発電機器の周囲に設けられた鉄筋コンクリート造の壁体の開口１４を補強する場合について説明したが、これに限らず、商業施設や学校建築などにおいて耐震壁の増設などにおいても本発明の鉄筋コンクリート造の壁体の補修方法を適用することができる。
【図面の簡単な説明】
【００４９】
【図１】補強壁を構築する対象となる鉄筋コンクリート造の壁体に形成された開口を示す図である。
【図２】本実施形態の型枠構造を示し、（Ａ）は正面図、（Ｂ）は鉛直断面図である。
【図３】（Ａ）は図２におけるＡ部の拡大図、（Ｂ）は鉛直断面図である。
【図４】本実施形態の型枠構造に用いられる型枠パネルを示す斜視図である。
【図５】型枠構造に用いられる支持部材を示す斜視図である。
【図６】（Ａ）は、図３（Ａ）におけるＢ部の拡大正面図であり、（Ｂ）はＢ部の鉛直断面図である。
【図７】開口パネルを示す斜視図である。
【図８】開口パネルの四隅に配置された支持部材を示す斜視図である。
【図９Ａ】鉄筋コンクリート造の壁体に設けられた開口を補修する方法を説明するための図（その１）である。
【図９Ｂ】鉄筋コンクリート造の壁体に設けられた開口を補修する方法を説明するための図（その２）である。
【図９Ｃ】鉄筋コンクリート造の壁体に設けられた開口を補修する方法を説明するための図（その３）である。
【図９Ｄ】鉄筋コンクリート造の壁体に設けられた開口を補修する方法を説明するための図（その４）である。
【図９Ｅ】鉄筋コンクリート造の壁体に設けられた開口を補修する方法を説明するための図（その５）である。
【図９Ｆ】鉄筋コンクリート造の壁体に設けられた開口を補修する方法を説明するための図（その６）である。
【図９Ｇ】鉄筋コンクリート造の壁体に設けられた開口を補修する方法を説明するための図（その７）である。
【図９Ｈ】鉄筋コンクリート造の壁体に設けられた開口を補修する方法を説明するための図（その８）である。
【図１０】型枠構造内にコンクリートを打設する様子を示す鉛直断面図である。
【図１１】正方形状の型枠パネルが複数枚連結された型枠パネルを示す斜視図である。
【符号の説明】
【００５０】
１０  壁体                              １１  コンクリート
１２  壁筋                              １３  壁筋の端部
１４  開口                              ２０  型枠構造
３０  型枠パネル                        ３１  スタッドボルト
３２  ナット                            ４０  開口パネル
４１  じょうご部材                      ５０  支持部材
５１  取付プレート                      ５１Ａ  切欠き部
５２  鋼材                              ６０  支持部材
６１  取付プレート                      ６１Ａ  切欠き部
６３  取付プレート                      ６３Ａ  切欠き部
６４  スタッドボルト                    ６５  ナット
７０  縦筋                              ７１  横筋
【図１】
2010037818.tif 000003
【図４】
2010037818.tif 000004
【図５】
2010037818.tif 000005
【図６】
2010037818.tif 000006
【図７】
2010037818.tif 000007
【図８】
2010037818.tif 000008
【図９Ａ】
2010037818.tif 000009
【図９Ｂ】
2010037818.tif 000010
【図９Ｃ】
2010037818.tif 000011
【図９Ｄ】
2010037818.tif 000012
【図９Ｅ】
2010037818.tif 000013
【図９Ｆ】
2010037818.tif 000014
【図９Ｇ】
2010037818.tif 000015
【図９Ｈ】
2010037818.tif 000016
【図１１】
2010037818.tif 000017
【図２】
2010037818.tif 000018
【図３】
2010037818.tif 000019
【図１０】
2010037818.tif 000020